(57)【特許請求の範囲】
【請求項１】
画像読み取りモジュールと組み合わせて用いられる反射型顕微鏡モジュールであって、
前記反射型顕微鏡モジュールは、
試料観察面を有し、この試料観察面が、前記画像読み取りモジュールが取り付けられる面と対向する側面側に位置するように設定される筐体と、
前記筐体の内部に設置されるレンズと、
着脱式で前記筐体の底部に設置されて、前記試料観察面に隣接し、さらに前記レンズに向ける一側に表面を有する基材と、その少なくとも一部が直接に前記基材の前記表面に設置され、前記基材と結合されて一体となる接着層とを備える試料粘着パーツと、を備え、
前記試料粘着パーツの前記基材は前記接着層を介して着脱式で前記筐体の前記底部に貼り付けることで、前記基材と前記筐体の前記底部との間に試料を収納させるための収納空間を形成させ、前記接着層は前記基材の前記表面と前記筐体の前記底部との間に設置され、前記接着層及び前記試料のいずれも前記基材における前記レンズに向ける前記一側に設置されることを特徴とする反射型顕微鏡モジュール。
【請求項２】
光線は、前記試料粘着パーツを経て反射した後、前記レンズを通過して前記画像読み取りモジュールに到達することを特徴とする請求項１に記載の反射型顕微鏡モジュール。
【請求項３】
光源を有し、前記レンズに隣接される発光部品をさらに備えることを特徴とする請求項１に記載の反射型顕微鏡モジュール。
【請求項４】
前記筐体外部に設置されて、入光部及び出光部を有する導光素子をさらに備え、
前記出光部は前記レンズに隣接して、前記入光部に光線を受け入れさせて、前記出光部から光線を出射させて前記レンズに到達させることを特徴とする請求項１に記載の反射型顕微鏡モジュール。
【請求項５】
前記反射型顕微鏡モジュールが光源と共に使用されない場合には、前記筐体は少なくとも１個の透孔を有し、外部光線を前記筐体の内部及び前記試料観察面に入射させることを特徴とする請求項１に記載の反射型顕微鏡モジュール。
【請求項６】
前記基材は、凹部及び延伸部を有し、前記延伸部は前記凹部に隣接し、前記接着層は前記基材の前記凹部を有する一側に設置されることを特徴とする請求項１に記載の反射型顕微鏡モジュール。
【請求項７】
前記試料粘着パーツは、少なくとも一部の区域が透光領域であることを特徴とする請求項１に記載の反射型顕微鏡モジュール。
【請求項８】
前記延伸部は不透光領域であり、前記凹部は透光領域であることを特徴とする請求項６に記載の反射型顕微鏡モジュール。
【請求項９】
前記試料粘着パーツはシールであることを特徴とする請求項１に記載の反射型顕微鏡モジュール。
【請求項１０】
前記反射型顕微鏡モジュールは、着脱式カバーをさらに備え、前記筐体と前記着脱式カバーは、ネジによる締め込み、固定爪セットによるはめ込み、または、吸着ユニットを介した吸着方式で接続されることを特徴とする請求項１に記載の反射型顕微鏡モジュール。
【請求項１１】
前記底部は、２個の試料粘着パーツ固定構造を有することを特徴とする請求項１に記載の反射型顕微鏡モジュール。
【請求項１２】
前記筐体に設置され、前記画像読み取りモジュールに接続される取付用具をさらに備えることを特徴とする請求項１に記載の反射型顕微鏡モジュール。
【請求項１３】
前記試料観察面は、前記レンズとの最短距離が０．１ｍｍから１０ｍｍの範囲であることを特徴とする請求項１に記載の反射型顕微鏡モジュール。
【請求項１４】
前記基材は、凹部のない平坦な表面を有することを特徴とする請求項１に記載の反射型顕微鏡モジュール。
【請求項１５】
画像読み取りモジュールと、
請求項１から１４のいずれかに記載の反射型顕微鏡モジュールとを備えることを特徴とする反射型顕微鏡装置。
【発明の詳細な説明】
【技術分野】
【０００１】
本発明は反射型顕微鏡モジュール及び反射型顕微鏡装置に関する。
【背景技術】
【０００２】
顕微鏡は、用途によって大きく透過型顕微鏡と反射型顕微鏡（金属顕微鏡とも称される）に分けられる。透過型顕微鏡は、通常透明または非常に薄い試料物体を観察するのに用いられ、光線が直接試料物体を透過して顕微鏡中に進入するため、一般に生物組織を観察するのに用いられる。一方、反射型顕微鏡は、通常金属や鉱物等の不透明な物体を観察するのに用いられ、主に光学、材料研究の分野で利用される。反射型顕微鏡の光源は、偏光板を透過させて偏光を形成し、その一部の光線を垂直に下方へ向けて反射させてから、レンズを経て観察対象物の表面に投射させ、さらにその光線を観察対象物の表面で反射させ、その反射光を対物レンズ、偏光板、平面ガラス及び接眼レンズを透過させ、拡大して、観察者の目に到達させることで、観察対象物の表面の特性を観察するのに用いられる。
【０００３】
しかしながら、反射型顕微鏡の内部には、対物レンズ、偏光板、平面ガラス及び接眼レンズを設置する必要があり、特に、偏光板は特定の角度を設けた設計が必要となるため、反射型顕微鏡は必然的に体積が大きくなってしまう。同時に、反射型顕微鏡の構造は複雑で携帯に不便であるため、通常は実験室内に設置されることが多い上に、専門の担当者がこれを操作する場合がほとんどである。さらに、反射型顕微鏡は主に観察対象物の表面の特性を観察するのに利用され、観察すべき試料物体を観察するたびに、全ての試料をサンプリングして実験室まで持ち込んで観察する必要があり、使用に際して不便である上、専門家ではない一般の使用者が使用するのにはハードルが高かった。言い換えれば、反射型顕微鏡は、通常観察対象物の表面の特性を観察するのに用いられるからこそ、より一層携帯して必要時に直ちに使用できることが求められる。また、従来は、使用者が収集した試料を観察するのに適した試料粘着パーツが選択できず、それを簡単に設置して顕微鏡で観察することができないと、試料粘着パーツを充分にスピーディー且つフレキシブルに使用することができないだけでなく、顕微鏡を使用する面白さも半減することになる。
【０００４】
このため、反射型顕微鏡は、コンパクトで携帯に便利であると同時に、試料がシンプルでスピーディーなサンプリング方式によって取得でき、且つ、サンプリング後の試料もシンプルな方式で顕微鏡に設置できて観察に便利であるという条件を必要とする。これにより、顕微鏡操作のハードルを低くして、使用者が気軽に利用できて、これまでのように専門の担当者のみが検査関連操作を行なえるという状況を改善できる。さらに、使用者が収集した試料が、適切な試料粘着パーツを介してシンプルに顕微鏡に設置できることにより、顕微鏡が試料粘着パーツを利用してフレキシブルに活用できるという効果が増す。同時に、顕微鏡を使用する意欲を高めるのにも役立つ。
【発明の概要】
【発明が解決しようとする課題】
【０００５】
したがって、本発明は、コンパクト且つ携帯に便利な反射型顕微鏡モジュール及び反射型顕微鏡装置を提供することを課題とする。本発明の反射型顕微鏡モジュール及び反射型顕微鏡装置は、試料粘着パーツが着脱式で反射型顕微鏡モジュールの筐体の底部に設置されることで、試料粘着パーツが試料観察面に隣接するような構造に設計されて、試料がシンプル且つスピーディーに顕微鏡に固定設置されて、使用者が便利に観察できることにより、顕微鏡操作のハードルを下げて、使用者が容易に利用できると同時に、顕微鏡を使用する意欲を高める効果を達成せんとする。
【課題を解決するための手段】
【０００６】
上記課題を解決するために、本発明は、反射型顕微鏡モジュールを提供することを目的とし、前記反射型顕微鏡モジュールは、画像読み取りモジュールと組み合わせて用いられる。前記反射型顕微鏡モジュールは、筐体、レンズ及び試料粘着パーツを備える。筐体は、試料観察面を有し、試料観察面は、画像読み取りモジュールが取り付けられる面と対向する側面側に位置するように設定される。レンズは、筐体の内部に設置される。試料粘着パーツは、着脱式で筐体の底部に設置されて、試料粘着パーツは試料観察面に隣接し、基材及び接着層を備え、接着層と基材は結合されて一体となる。
【０００７】
一実施例において、光線は、試料粘着パーツを経て反射した後、レンズを通過して画像読み取りモジュールに到達する。
【０００８】
一実施例において、光源が発する光線は、レンズの入光面から入射し、レンズの出光面から出射して試料観察面に達する。
【０００９】
一実施例において、反射型顕微鏡モジュールは、さらに発光部品を備え、発光部品は、光源を備えてレンズに隣接される。
【００１０】
一実施例において、発光部品の光源は、環状発光体である。
【００１１】
一実施例において、反射型顕微鏡モジュールは、導光素子をさらに備え、導光素子は、筐体外部に設置されて、導光素子は入光部及び出光部を有し、出光部はレンズに隣接して、入光部に光線を受け入れさせて、出光部から前記光線を出射させてレンズに到達させる。
【００１２】
一実施例において、反射型顕微鏡モジュールが光源と共に使用されない時、筐体は少なくとも１個の透孔を有して、外部光線を筐体の内部及び試料観察面に入射させる。
【００１３】
一実施例において、基材は、凹部及び延伸部を有して、延伸部は凹部に隣接し、接着層は基材の凹部を有する一側に設置される。
【００１４】
一実施例において、試料粘着パーツは、ステージをさらに備えて、試料粘着パーツが着脱式でステージの表面に粘着されることで、凹部と表面に収納空間を形成させる。
【００１５】
一実施例において、凹部に位置する接着層の粘着性は、延伸部に位置する接着層の粘着性より低い。
【００１６】
一実施例において、試料粘着パーツは、少なくとも一部の区域が透光領域である。
【００１７】
一実施例において、延伸部は不透光領域であり、凹部は透光領域である。
【００１８】
一実施例において、凹部は遮光点を有する。
【００１９】
一実施例において、試料粘着パーツはシールである。
【００２０】
一実施例において、ステージはスライドグラス、プラスチックフィルム、樹脂フィルム、透光フィルムまたは不透光フィルムである。
【００２１】
一実施例において、筐体と試料粘着パーツは着脱式で固定接続される。
【００２２】
一実施例において、反射型顕微鏡モジュールは、着脱式カバーをさらに備え、筐体と着脱式カバーは、ネジ山のネジによる締め込み、固定爪セットによるはめ込み、または、吸着ユニットを介した吸着方式で接続される。
【００２３】
一実施例において、底部は、試料粘着パーツ挿入槽を有し、試料粘着パーツは試料粘着パーツ挿入槽を介して筐体の底部に設置される。
【００２４】
一実施例において、試料粘着パーツ挿入槽は少なくとも１個の位置規定枠を有する。
【００２５】
一実施例において、位置規定枠は、少なくとも１個の磁性ユニットを有し、試料粘着パーツが着脱式でステージに粘着接続され、ステージに粘着接続された試料粘着パーツは、試料粘着パーツ挿入槽と、吸着ユニットを有する位置規定枠を介して互いに吸着し合って接続する。
【００２６】
一実施例において、試料粘着パーツ挿入槽は、透明領域または開孔領域を有する。
【００２７】
一実施例において、底部は、２個の試料粘着パーツ固定構造を有する。
【００２８】
一実施例において、試料粘着パーツ固定構造は、磁性ユニットであり、試料粘着パーツが着脱式でステージに粘着接続され、ステージに粘着接続された試料粘着パーツは磁性ユニットを介して底部に吸着される。
【００２９】
一実施例において、試料粘着パーツは、着脱式でステージに粘着設置され、筐体またはステージのうちの少なくとも１個は磁性ユニットが設置されることで、ステージに粘着設置された試料粘着パーツは筐体の底部と互いに吸着されて接続される。
【００３０】
一実施例において、筐体の外表面は傾斜角度を有する。
【００３１】
一実施例において、反射型顕微鏡モジュールは、取付用具をさらに備え、前記取付用具は筐体に設置されて画像読み取りモジュールに接続される。
【００３２】
一実施例において、取付用具は、取付用ツマミ及び枢軸を備える。
【００３３】
一実施例において、試料観察面は、レンズとの最短距離が０．１ｍｍから１０ｍｍの範囲である。
【００３４】
一実施例において、基材は、凹部のない平坦な表面を有する。
【００３５】
上記目的を達成するために、本発明は、さらに反射型顕微鏡装置を提供し、反射型顕微鏡装置は、画像読み取りモジュール及び請求項１から１６のいずれかに記載の反射型顕微鏡モジュールを備える。
【発明の効果】
【００３６】
このように、本発明の反射型顕微鏡モジュールは、画像読み取りモジュールと組み合わせて使用し、反射型顕微鏡モジュールは、筐体、レンズ及び試料粘着パーツを備える。筐体は、試料観察面を有し、試料観察面は筐体に位置し、画像読み取りモジュールが取り付けられる面と対向する側面側に位置するように設けられる。レンズは筐体の内部に設置され、試料粘着パーツは着脱式に筐体の底部に設置されて、試料粘着パーツは試料観察面に隣接し、基材及び接着層を備え、接着層と基材は結合して一体となる。本発明は、試料粘着パーツが着脱式で反射型顕微鏡モジュールの筐体の底部に設置されることで、試料観察面に隣接する構造設計がなされる。上述の設計により、試料が簡単、スピーディーに顕微鏡に固定設置されることにより、観察を便利にし、顕微鏡操作の難易度を下げて、顕微鏡操作時のハードルを低くして、使用者が気軽に利用できて、顕微鏡を操作する意欲を高めることが可能になる。
【図面の簡単な説明】
【００３７】
【図１Ａ】本発明の実施例１に係る反射型顕微鏡モジュールの外観立体図である。
【図１Ｂ】図１Ａに示した反射型顕微鏡モジュールの断面図である。
【図１Ｃ】図１Ａに示した反射型顕微鏡モジュールが画像読み取りモジュールと組み合わせられる前の状態を示した外観立体図である。
【図１Ｄ】図１Ａに示した反射型顕微鏡モジュールが画像読み取りモジュールと組み合わせられた後の状態を示した外観立体図である。
【図１Ｅ】図１Ａに示した反射型顕微鏡モジュールにより試料の断面を観察する状態を示した断面図である。
【図１Ｆ】図１Ａに示した反射型顕微鏡モジュールの試料粘着パーツの外観を示した図である。
【図１Ｇ】図１ＦのＡ−Ａ線断面図である。
【図１Ｈ】図１Ａに示した試料粘着パーツの細部構造図である。
【図２Ａ】本発明の実施例１における試料粘着パーツの凹部の変化態様を示した断面図である。
【図２Ｂ】本発明の実施例１における試料粘着パーツの凹部のもう１つの変化態様を示した断面図である。
【図２Ｃ】本発明の実施例１における試料粘着パーツの更に異なる変化態様を示した断面図である。
【図２Ｄ】図２Ｃに示した態様の試料粘着パーツを使用した反射型顕微鏡モジュールの断面図である。
【図３Ａ】本発明の実施例１における試料粘着パーツを上から見た平面図である。
【図３Ｂ】本発明の実施例１における試料粘着パーツの変化態様を上から見た平面図である。
【図４Ａ】本発明の実施例２に係る反射型顕微鏡モジュールであって、着脱式カバーを有する場合の外観立体図である。
【図４Ｂ】図４Ａに示した反射型顕微鏡モジュールにおいて筐体に着脱式カバーが装着された態様を示した図である。
【図５Ａ】本発明の実施例３に係る反射型顕微鏡モジュールの筐体の底部が試料粘着パーツ挿入槽を有する場合の外観立体図である。
【図５Ｂ】図５Ａに示した反射型顕微鏡モジュールを他の角度から見た図である。
【図６Ａ】本発明の実施例４に係る反射型顕微鏡モジュールの筐体の底部が２個の試料粘着パーツ固定構造を有する場合の外観立体図である。
【図６Ｂ】図６Ａに示した反射型顕微鏡モジュールを他の角度から見た図である。
【図７Ａ】本発明の実施例５に係る反射型顕微鏡モジュールの筐体と試料粘着パーツが磁性ユニットを有する場合の外観立体図である。
【図７Ｂ】図７Ａに示した反射型顕微鏡モジュールの断面図である。
【図７Ｃ】本発明の実施例５の反射型顕微鏡モジュールにおける筐体が少なくとも１個の透孔を有する場合の外観立体図である。
【図８Ａ】本発明の実施例６に係る反射型顕微鏡モジュールの筐体外部に導光素子が設置された場合の外観立体図である。
【図８Ｂ】図８Ａに示した反射型顕微鏡モジュールにより試料の断面を観察する状態を示した断面図である。
【発明を実施するための形態】
【００３８】
以下に、図を参照しながら本発明の好適な実施例に係る反射型顕微鏡モジュール及び反射型顕微鏡装置について説明し、このうち同じ構成要素は同じ符号を付して説明する。
【実施例１】
【００３９】
図１Ａから図１Ｄを参照しながら説明する。図１Ａは、本発明の実施例１に係る反射型顕微鏡モジュールの外観立体図である。図１Ｂは、図１Ａに示した反射型顕微鏡モジュールの断面図である。図１Ｃと図１Ｄは、図１Ａに示した反射型顕微鏡モジュールが画像読み取りモジュールと組み合わせられる前後の形態を示した図である。図１Ａから図１Ｄまでを同時に参照して説明する。反射型顕微鏡モジュール１は、筐体１１、レンズ（図示した例では凸レンズ）１２及び試料粘着パーツ１３（試料粘着パーツ１３は側面図である図１Ｂのみに示す）を備える。また、本実施例の反射型顕微鏡モジュール１は、取付用具１４をさらに備え、取付用具１４は筐体１１に設置される。図１Ｃ及び図１Ｄに示したように、本実施例における反射型顕微鏡モジュール１は、取付用具１４を介して画像読み取りモジュール２と組み合わせて使用される。取付用具１４は、取付用ツマミ１４１及び枢軸１４２を備え、使用者は、枢軸１４２を利用して取付用ツマミ１４１の一端を押すことで、取付用ツマミ１４１の筐体１１に近い端部を開いて、反射型顕微鏡モジュール１を電子機器Ｅに挟み付けることができる。他の実施例において、取付用具１４は、取付用ツマミではなく粘着層であることも可能で、粘着層は感圧接着剤（ｐｒｅｓｓｕｒｅ  ｓｅｎｓｉｔｉｖｅ  ａｄｈｅｓｉｖｅ）、すなわち圧力に敏感な粘着剤であり、繰り返して粘着による着脱が可能であることにより、反射型顕微鏡モジュール１が粘着層（感圧接着剤）を有する取付用具１４を介して何度でも繰り返して電子機器Ｅに粘着させることが可能である。
【００４０】
電子機器Ｅは、例えば、カメラ機能を有する移動通信装置、スマートフォン、タブレットパソコン、カメラ、ドライブレコーダー、ビデオカメラ、ノートパソコン、顕微鏡またはウェアラブルデバイス等々であり、本実施例では、移動通信装置の場合を例とする。すなわち、本実施例の反射型顕微鏡モジュール１は、取付用具１４を介して直接電子機器Ｅ本体が有する画像読み取りモジュール２と組み合わせて使用する。
【００４１】
図１Ｂに示したように、筐体１１は試料観察面Ｆ１を備え、試料観察面Ｆ１は、筐体１１の画像読み取りモジュール２が取り付けられる面と対向する側面側（即ち、画像読み取りモジュール２とは反対の側面側）に位置するように設定される。さらに、筐体１１は底部１１１を有し、底部１１１も同様に、筐体１１に画像読み取りモジュール２が取り付けられる面と対向する側面側、すなわち試料粘着パーツ１３に近い一側に位置する。さらに、レンズ１２は筐体１１内部に設置され、試料粘着パーツ１３は粘着性を有することで、観察試料Ｓに粘着して、着脱式で筐体１１の底部１１１に設置されることにより、試料粘着パーツ１３が試料観察面Ｆ１に隣接して設置される。試料粘着パーツ１３を試料観察面Ｆ１に隣接させ、さらに観察試料Ｓからの反射光をレンズ１２及び画像読み取りモジュール２を通過させて結像させることにより、観察試料Ｓからの光が反射型顕微鏡モジュール１を経て拡大された後の試料の結像を観察することができる。また、本実施例における筐体１１と試料粘着パーツ１３は着脱式で固定接続される。試料粘着パーツ１３のその他の技術内容については後述する。
【００４２】
ここで言及すべきは、本実施例における試料観察面Ｆ１は、実体表面でもバーチャル表面でも可能であるという点である。実体表面の場合、試料粘着パーツ１３が筐体１１と互いに接触する時、試料観察面Ｆ１は、実質上筐体１１の画像読み取りモジュール２が取り付けられる面と対向する側面側の表面である。バーチャル表面の場合、図１Ｂに示したように、観察試料Ｓと筐体１１の間に少し距離がある時、試料観察面Ｆ１は、底部１１１が隣接する試料粘着パーツ１３の側の表面である。また、本実施例は、観察される試料を制限するものではなく、図面に示した観察試料Ｓ及びその大きさ、比率は例を挙げたに過ぎず、何ら制限するものではない。
【００４３】
次に、図１Ｅを参照しながら説明する。図１Ｅは、図１Ａに示した反射型顕微鏡モジュールにより試料を観察する状態を示した断面図である。本実施例におけるレンズ１２は、凸レンズの非球面鏡である。このうち、高倍率または被写界深度を有する状況下において、試料観察面Ｆ１からレンズ１２の表面までの最短距離Ｄは、０．１ｍｍから１０ｍｍの間に位置する。通常は、０．１ｍｍから３．０ｍｍの範囲で、好適には０．３ｍｍから２．０ｍｍの範囲であり、理想的には、最短距離Ｄは０．５ｍｍから１．２ｍｍの範囲が最適である。さらに、反射型顕微鏡モジュール１の拡大倍率は、１００から２００倍の間である。本実施例において、レンズ１２は翼部１２１を有し、翼部１２１はレンズ１２の周縁に位置する。すなわち、レンズ１２の中央部分は両面が突起した非球面鏡で、レンズ１２の周縁部分は扁平な翼部１２１である。また、他の実施態様下において、反射型顕微鏡モジュールで使用するレンズ１２は、両面が突起した非球面鏡ではなく、球面鏡、単凸レンズ、単／両凹レンズまたは複数のレンズを結合させたレンズアセンブリを使用することも可能で、使用者のニーズに合わせて選択され、本発明はこれを限定しない。
【００４４】
また、本実施例における反射型顕微鏡モジュール１は、さらに発光部品１５を備え、発光部品１５は光源１５１を有して、レンズ１２に隣接して設置される。光源１５１は、発光ダイオード、レーザーダイオードまたは蛍光灯等の光源である。本実施例における光源１５１は、画像読み取りモジュール２とレンズ１２の間に位置する。具体的には、本実施例における光源１５１は筐体１１の内部に設置され、且つ、光源１５１はレンズ１２の画像読み取りモジュール２に近い側に位置する。また、他の実施例において、発光部品１５の光源１５１は環状発光体でも可能であり、同様にレンズ１２に隣接して光線を発する。このうち、光源１５１が発する光線は、試料粘着パーツ１３を経て反射した後、光線はレンズ１２を通過して画像読み取りモジュール２に到達する。
【００４５】
さらに詳しく説明する。前述のレンズ１２及び発光部品１５の配置関係は、光源１５１が発する光線を、レンズ１２の入光面１２２から入射させ、レンズ１２の出光面１２３から出射させて試料観察面Ｆ１及び試料粘着パーツ１３と観察試料Ｓに至らせる。また、本実施例における筐体１１は出光孔１１２及び開口１１３を有する。出光孔１１２は、試料観察面Ｆ１に近い側に位置し、且つ、本実施例における出光孔１１２は底部１１１が有する開口または開孔に相当し、他方、開口１１３は、画像読み取りモジュール２に近い側に位置する。したがって、光源１５１が発射する光線経路全体は、レンズ１２の入光面１２２から入射して、出光面１２３から出射した後、さらに、出光孔１１２を経て射出されて試料観察面Ｆ１及び試料粘着パーツ１３と観察試料Ｓに至る。次に、光線は試料粘着パーツ１３、試料観察面Ｆ１及び観察試料Ｓから反射された後、さらに、レンズ１２の出光面１２３からレンズに入射されて、入光面１２２から出射され、開口１１３を経た後、画像読み取りモジュール２のレンズに入射される。画像読み取りモジュール２のレンズが、反射型顕微鏡モジュール１で拡大後の試料画像を取得した後、画像読み取りモジュール２を介して画像処理のプロセスを実行して、電子機器Ｅの表示ユニットにより試料画像が表示される。すなわち、使用者が直接電子機器Ｅによって、反射型顕微鏡モジュール１を経て拡大された後の試料画像を観察することができる。したがって、本実施例における反射型顕微鏡モジュール１は、上述の光線経路構造によって一種の反射型顕微鏡（金属顕微鏡）に属する。
【００４６】
好適には、本実施例における光源１５１は筐体１１内に設置され、且つ、光源１５１の設置位置はレンズ１２の翼部１２１に隣接し、翼部１２１は結像と無関係の部分であるため、本実施例では翼部１２１の長さは制限しない。翼部１２１は、レンズ１２の周囲に設置されるため、光源１５１はレンズ１２中央の突起の周囲を取り囲むように設置される。前述の設置関係により、光源１５１が射出する光線は翼部１２１からレンズ１２の内部に入射されて拡散した後、さらにレンズ１２の出光面１２３から焦点上に収束し、この場合、光源１５１の主な光軸はレンズ１２の光軸とは同一ではなく、実質上は平行に設置される。
【００４７】
本実施例において、光源１５１は可視光光源である外、不可視光線光源でも可能である。このうち、可視光光源は大部分の試料のタイプを観察する光源であり、不可視光光源は例えば赤外線光源であり、宝石鑑定に用いられる。紫外線光源の場合は、ラベルの真偽識別に用いられ、例えば偽札の鑑定にも用いられる。また、本発明は、光源１５１の数量を限定せず、発光部品１５は複数個の光源を有することができる。したがって、反射型顕微鏡モジュール１は、必要及び観察する試料のタイプに応じて対応し、異なる態様の光源１５１及び光源の数量を選択して設置することが可能である。
【００４８】
以下に、本実施例の試料粘着パーツ及び関連ユニット部品の詳細な技術内容について説明する。
【００４９】
図１Ｆから図１Ｈを参照しながら説明する。図１Ｆは、図１Ａに示した反射型顕微鏡モジュールの試料粘着パーツの外観図である。図１Ｇは、図１ＦのＡ−Ａ線断面図である。図１Ｈは図１Ａに示した試料粘着パーツの細部構造を示した図である。
【００５０】
同時に、図１Ｆから図１Ｈを参照しながら説明する。試料粘着パーツ１３は、さらにステージ１３３と組み合わされて、下述の各実施例における反射型顕微鏡モジュールと共に組み合わせて使用される。ステージ１３３は、試料積載面Ｆ２を有し、ステージ１３３はスライドグラス、プラスチックフィルム、樹脂フィルム、透光フィルムまたは不透光フィルム等である。試料粘着パーツ１３は、基材１３０及び接着層Ｃ（図１Ｇ及び図１Ｈを参照）を備える。基材１３０は、相対する第１表面Ａと第２表面Ｂを有する。接着層Ｃは基材１３０の第２表面Ｂに設置される。基材１３０は延伸部１３１及び凹部１３２を有し、延伸部１３１は凹部１３２に隣接する。接着層Ｃは試料粘着パーツ１３の凹部１３２にも設けられ、その粘着性は延伸部１３１に位置する接着層Ｃの粘着性より低い。接着層Ｃは基材１３０の凹部１３２を有する一側（第２表面Ｂ）に設置されて、基材１３０と結合して一体となる。また、本実施例の基材１３０及び接着層Ｃは透光性を有し、その透光率は９０％より大きい。
【００５１】
試料粘着パーツ１３の試料積載面Ｆ２に位置する一側は粘着性を有し、試料粘着パーツ１３の延伸部１３１がステージ１３３に貼り付けられた時、凹部１３２と試料積載面Ｆ２が収納空間Ｖを形成することで観察試料Ｓを収納する。使用者は、試料粘着パーツ１３の凹部１３２内に観察試料Ｓを収納または粘着させて、ステージ１３３上に貼り付けると顕微鏡試料の準備が完了するため、従来の顕微鏡試料のような準備作業が大幅に簡素化される。
【００５２】
収納空間Ｖは、観察試料Ｓを密封して液体が外に漏れるのを防ぐ。観察試料Ｓとしては、微生物、細胞、節足動物または鉱物粉末等が可能である。また、観察試料Ｓは液体試料または生体試料に限らない。例えば、使用者は試料粘着パーツ１３の凹部１３２に生きた昆虫や液体状の検体を粘着させて、さらに試料粘着パーツ１３の延伸部１３１をステージ１３３の試料積載面Ｆ２に貼り付けることで、生きた昆虫や液体状の検体を収納空間Ｖに密封することが可能である。凹部１３２の粘着性は、延伸部１３１の粘着性より低く、小さな生きた昆虫は、収納空間Ｖ内で活動することが可能で、試料粘着パーツ１３に押しつぶされて圧死することが回避される。もし使用者が観察試料Ｓを保存したい場合は、ステージ１３３上から試料粘着パーツ１３を剥がして、他のプラスチックフィルムまたは標本ブックに貼り付けて試料粘着パーツ１３と共に保管する。
【００５３】
他の実施例において、使用者は所蔵したい試料を保存してカードとして作成することが可能である。試料粘着パーツ１３は試料カードにもなり、直接試料カードとして使用することで、使用者は別にステージを組み合わせる必要がない。この試料カードを着脱式で筐体の底部に設置することで、試料カードを試料観察面に隣接させて、前記と同様にレンズ及び画像読み取りモジュールを通して結像させることが可能であり、試料カード上の観察試料からの光が反射型顕微鏡モジュールを経て拡大後の試料像を結像させるものである。
【００５４】
また、本実施例の反射型顕微鏡モジュールは、異なる態様の試料粘着パーツを組み合わせて使用することも可能であり、上述で提供されたステージを組み合わせて使用できる。
【００５５】
図２Ａ及び図２Ｂは、本発明の実施例１における試料粘着パーツの凹部の変化態様の断面図である。まず、同時に図１Ｈ及び図２Ａから図２Ｂを参照しながら説明する。試料粘着パーツ１３、１３ａ、１３ｂは、それぞれ延伸部１３１、１３１ａ、１３１ｂ及び凹部１３２、１３２ａ、１３２ｂを有する。試料粘着パーツ１３、１３ａ、１３ｂは、シール、テープまたは樹脂であり、延展性を有する。したがって、使用者は試料粘着パーツをプレス成型方式によって、異なる形状の内側にくぼんだ構造にプレスする。例えば、図１Ｈの凹部１３２及び図２Ａの凹部１３２ａは、異なるタイプのアーチ形構造で、図２Ｂの凹部１３２ｂは方形構造である。
【００５６】
次に、図２Ｃ及び図２Ｄを参照しながら説明する。図２Ｃは、本発明の実施例１における試料粘着パーツが更に異なる変化態様を有する場合の断面図である。図２Ｄは、図２Ｃに示した態様の試料粘着パーツを使用した反射型顕微鏡モジュールの断面図である。図２Ｃ及び２Ｄを共に参照しながら説明する。図２Ｃにおいて、試料粘着パーツ１３ｃは、同様に基材１３０ｃ及び接着層Ｃを有するが、図２Ａまたは図２Ｂの試料粘着パーツ１３ａ、１３ｂと異なるのは、試料粘着パーツ１３ｃの基材１３０ｃが前述の凹部及び延伸部を有さない点である。したがって、本態様において、基材１３０ｃは凹部のない平坦な表面で、接着層Ｃは平坦な基材１３０ｃの一側に設置されて、同様に基材１３０ｃと結合して一体となる。また、基材１３０ｃ及び接着層Ｃは、同様に高透光率を有することで、試料粘着パーツ１３ｃが一種の高透光率を有する全体的に平坦な態様の粘着パーツとなる。
【００５７】
また、図２Ｄの反射型顕微鏡モジュールは、基本的には図１Ｂの反射型顕微鏡モジュール１と大部分同一の部品及び部品間の関係を有する。異なるのは、図２Ｄに示した反射型顕微鏡モジュールが、図２Ｃの全体的に平坦な態様の試料粘着パーツ１３ｃを使用する点である。試料粘着パーツ１３ｃは、粘着性を有することで、観察試料Ｓを粘着させた後、着脱式で筐体１１の底部１１１に設置されて、試料粘着パーツ１３ｃを試料観察面Ｆ１に隣接させる。試料粘着パーツ１３ｃを試料観察面Ｆ１に隣接させた後、さらにレンズ１２及び画像読み取りモジュール２を介して結像させる。すなわち観察試料Ｓの反射型顕微鏡モジュール１を経て拡大した後の試料の結像を観察するということである。  
【００５８】
また、図２Ｄに示した反射型顕微鏡モジュールのその他の技術的特徴は、上述の反射型顕微鏡モジュール１の関連説明を参照できるため、ここでは詳述しない。
【００５９】
以下の実施例において、試料粘着パーツ１３がシールである場合を例として説明する。試料粘着パーツ１３は透光シールで、その透光率は９０％より大きく、試料粘着パーツ１３の一部の区域において、遮光処理がなされてダークフレームのシールを形成する。
【００６０】
図３Ａ及び図３Ｂは、本発明の実施例１における試料粘着パーツ及びその変化態様を上から見た平面図である。図３Ａに示した例において、試料粘着パーツ１３の凹部１３２は遮光点ｄを有し、遮光点ｄより外の区域はいずれも透光領域である。図３Ａの実施態様において、遮光点ｄは印刷黒点であり、遮光点ｄは凹部１３２の表面のいかなる位置にも設置されることができて、必ずしも凹部１３２の中心位置に設置される必要はなく、観察試料Ｓの結像背景がダークフレーム効果を出現しさえすればよい。図３Ａの凹部１３２には、複数の分散する印刷黒点を設置することもでき、それによって遮光区域を形成する。したがって、１個または複数個の分散する印刷黒点を、元々全体的に透明である凹部１３２に設置することで遮光区域を形成し、できるだけ屈折もしくは拡散する光線だけを観察試料Ｓに到達させるようにすれば、ダークフレーム効果を達成して解像度を高めることが可能になる。
【００６１】
他の変化態様において、図３Ｂに示したように、試料粘着パーツ１３は、凹部１３２のみが透光領域であり、その他の区域はいずれも不透光領域とすることができる。したがって、試料粘着パーツ１３の非凹部区域のみに遮光区域が設置され、試料粘着パーツ１３はダークフレームシールとなる。また、図３Ａと図３Ｂの態様を結合させて使用することが可能である。ダークフレームシールの設計方法によれば、試料自身と背景の間の対比を高めて、好適な結像効果を得ることができる。
【００６２】
上記の如く、本実施例の反射型顕微鏡モジュールは画像読み取りモジュールと組み合わせて使用する。反射型顕微鏡モジュールは、筐体、レンズ及び試料粘着パーツを備える。筐体は試料観察面を有し、試料観察面は、筐体の画像読み取りモジュールが取り付けられる面と対向する側面側に位置するように設定される。レンズは筐体の内部に設置され、試料粘着パーツは着脱式で筐体の底部に設置される。試料粘着パーツは試料観察面に隣接し、基材及び接着層を備える。基材は凹部及び延伸部を有し、延伸部は凹部に隣接する。接着層は基材の凹部を有する一側に設置されて、基材と結合して一体となる。本実施例の筐体１１と試料粘着パーツ１３は、着脱式で固定接続されることで、試料粘着パーツは着脱式で反射型顕微鏡モジュールの筐体の底部に設置される。上述の設計により、試料を簡単且つスピーディーに顕微鏡に固定設置できるため、観察を便利にして、顕微鏡操作のハードルを下げて、気軽に顕微鏡が使用できるようになり、操作上の難易度を低くすると同時に、顕微鏡操作の意欲を高める目的を達成する。
【実施例２】
【００６３】
更に、図４Ａ及び図４Ｂを参照しながら説明する。図４Ａは、本発明の実施例２に係る反射型顕微鏡モジュールであって着脱式カバーを有する場合の外観立体図である。図４Ｂは、図４Ａに示した反射型顕微鏡モジュールの筐体に着脱式カバーが装着された時の態様を示した図である。
【００６４】
図４Ａの反射型顕微鏡モジュール１ａと前述の実施例における反射型顕微鏡モジュール１は、大部分同一の部品及び部品間の関係を有する。異なるのは、本実施例の反射型顕微鏡モジュール１ａがさらに着脱式カバー１６を有する点である。
【００６５】
本実施例において、筐体１１と着脱式カバー１６は、着脱式カバー１６が有する固定爪セット１６１を介して、はめ込み式で接続する。図４Ｂに示したように、着脱式カバー１６は固定爪セット１６１を介して筐体１１の底部１１１にはめ込まれて底部１１１を覆う。筐体１１及び着脱式カバー１６は、さらに標識または標示によって固定爪セット１６１との位置合わせをしやすくする。これにより、着脱式カバー１６は筐体１１の底部１１１を覆い、筐体１１の底部１１１に設置された試料粘着パーツ１３が好適な平坦さを有するようにし、これにより、反射型顕微鏡モジュール１ａが観察する観察試料Ｓの画像効果を高める。また、他の実施態様において、筐体１１と着脱式カバー１６は、上記固定爪セットのはめ込みによる以外に、ネジ山のネジによる締め込み、または吸着ユニットによる吸着方式で接続される。これにより、前記と同様に着脱式カバー１６が筐体１１と接続され、前記と同様に反射型顕微鏡モジュール１ａにより観察される観察試料Ｓの画像効果を高めることができる。
【００６６】
また、反射型顕微鏡モジュール１ａのその他の技術的特徴は、上述の反射型顕微鏡モジュール１の関連説明を参照できるため、ここでは詳述しない。
【実施例３】
【００６７】
また、図５Ａ及び図５Ｂを参照しながら説明する。図５Ａは、本発明の実施例３に係る反射型顕微鏡モジュールの筐体の底部に試料粘着パーツ挿入槽を有する場合の外観立体図である。図５Ｂは、図５Ａに示した反射型顕微鏡モジュールを他の角度から見た図である。
【００６８】
図５Ａの反射型顕微鏡モジュール１ｂと前述の実施例における反射型顕微鏡モジュール１は、大部分同一の部品及び部品間の関係を有する。異なるのは、本実施例の反射型顕微鏡モジュール１ｂの筐体１１ｂの底部１１１ｂが試料粘着パーツ挿入槽Ｉを有する点である。また、この試料粘着パーツ挿入槽Ｉは少なくとも１個の位置規定枠Ｌ１、Ｌ２を有する。
【００６９】
即ち、本実施例において、前記底部１１１ｂは試料粘着パーツ挿入槽Ｉを有し、且つ、試料粘着パーツ挿入槽Ｉはさらに２個の位置規定枠Ｌ１、Ｌ２を有する。前記試料粘着パーツ１３は、前記の如くステージ１３３（図１Ｆ、１Ｇ参照）に貼り付けられて、試料粘着パーツ挿入槽Ｉを介して底部１１１ｂに設置される。具体的には、使用者は試料粘着パーツ１３を一方向に沿って試料粘着パーツ挿入槽Ｉ中に挿入するものであり、その際、位置規定枠Ｌ１、Ｌ２の設置により、試料粘着パーツ１３が試料粘着パーツ挿入槽Ｉに挿入される過程において、精確な位置確定関係が得られ、試料粘着パーツ１３が挿入方向以外の他の方向に移動することがない。例えば、使用者が試料粘着パーツ１３を図５Ａ、５Ｂにおいて左から右に試料粘着パーツ挿入槽樣Ｉに挿入すると、挿入の過程において、試料粘着パーツ１３は上下方向の移動をすることがない。また、筐体１１ｂの底部１１１ｂは、試料粘着パーツ挿入槽Ｉの他端に阻止枠Ｆ３を有する。阻止枠Ｆ３は位置規定枠Ｌ１、Ｌ２に接続されることで、試料粘着パーツ１３が試料粘着パーツ挿入槽Ｉに挿入された後、阻止枠Ｆ３に当接、停止された後は移動することがない。
【００７０】
また、位置規定枠Ｌ１、Ｌ２は、少なくとも１個の磁性ユニット（図示されない）が設置されることで、試料粘着パーツ１３が貼り付けられたステージ１３３と、試料粘着パーツ挿入槽Ｉが吸着ユニットの位置規定枠を介して互いに吸着されて接続される。例えば、磁性ユニットは位置規定枠Ｌ１、Ｌ２中の挿入端部に近い位置に設置されることで、試料粘着パーツ１３は位置規定枠Ｌ１、Ｌ２によって位置確定がなされると同時に、挿入端部に向かって吸引される。また、試料粘着パーツ挿入槽は透明領域または開孔領域Ｔ（図５Ｂ参照）を有し、透明領域または開孔領域Ｔの設置により、光線が試料観察面Ｆ１から入射して試料粘着パーツ１３の観察試料Ｓに到達した後、さらに反射して試料観察面Ｆ１に戻り、前述の光の経路構造によりレンズ１２に入射して画像読み取りモジュール２に戻る。こうして、試料粘着パーツ１３は、位置規定枠のガイドにより直接試料粘着パーツ挿入槽Ｉに挿入される。さらに、位置規定枠Ｌ１、Ｌ２は、試料粘着パーツ１３を直接試料粘着パーツ挿入槽Ｉの底部に精確に挿入されるように構成され、さらに試料粘着パーツ１３は左右に移動することが可能で、完全にはまり込んで動かなくなるわけではない。したがって、位置規定枠Ｌ１、Ｌ２の設置により、観察試料Ｓの位置は左右に微調整することが可能で、観察試料Ｓを使用者が希望する観察位置に移動させることができる。
【００７１】
また、反射型顕微鏡モジュール１ｂのその他の技術的特徴は上述の反射型顕微鏡モジュール１の関連説明を参照できるため、ここでは詳述しない。
【実施例４】
【００７２】
また、図６Ａと図６Ｂを参照しながら説明する。図６Ａは、本発明の実施例４に係る反射型顕微鏡モジュールの筐体の底部が２個の試料粘着パーツ固定構造を有する場合の外観立体図である。図６Ｂは、図６Ａに示した反射型顕微鏡モジュールを他の角度から見た図である。
【００７３】
図６Ａの反射型顕微鏡モジュール１ｃと前述の実施例における反射型顕微鏡モジュール１は、大部分同一の部品及び部品間の関係を有する。異なるのは、本実施例の反射型顕微鏡モジュール１ｃの筐体１１ｃの底部１１１ｃが２個の試料粘着パーツ固定構造Ｈ１、Ｈ２を有する点である。
【００７４】
即ち、本実施例において、前記底部１１１ｃは２個の試料粘着パーツ固定構造Ｈ１、Ｈ２を有し、試料粘着パーツ固定構造Ｈ１、Ｈ２は、類似するフック状の構造形態を有することで、試料粘着パーツ１３がステージ１３３に貼り付けられた後、２個の試料粘着パーツ固定構造Ｈ１、Ｈ２によって着脱式に筐体１１ｃの底部１１１ｃに設置されて、試料粘着パーツ１３の筐体１１ｃの底部１１１ｃにおける小さな範囲内での左右移動を可能にする。さらに、試料粘着パーツ固定構造Ｈ１、Ｈ２に完全にはまり込んで動かないということがない。したがって、２個の試料粘着パーツ固定構造Ｈ１、Ｈ２の設置により、観察試料Ｓの位置を左右に微調整することができて、観察試料Ｓを使用者が希望する観察位置に移動させることができる。また、本実施例の試料粘着パーツ固定構造Ｈ１、Ｈ２は、磁性ユニットであることが可能であり、試料粘着パーツ１３が貼り付けられるステージ１３３も磁性ユニットを有することが可能であることで、ステージ１３３に貼り付けられる試料粘着パーツ１３が、磁性を有する２個の試料粘着パーツ固定構造Ｈ１、Ｈ２に吸引されて、筐体の底部１１１ｃに吸引される。具体的には、試料粘着パーツ固定構造Ｈ１、Ｈ２は、自発磁化または導磁性の材質を使用して、自発磁化の材質（永久磁石用の材質）は、例えば、合金で、ＴｂＦｅ合金、ＧｄＣｏ合金、ＤｙＮｉ合金、ＮｄＦｅＢ合金を含むもの、または、フェライトまたは金属間化合物類の材質である。導磁性の材質は、例えば、Ｃｏ−Ｎｉ−Ｃｒ合金、Ｃｏ−Ｃｒ−Ｔａ合金、Ｃｏ−Ｃｒ−Ｐｔ合金、Ｃｏ−Ｃｒ−Ｐｔ−Ｂ合金等である。したがって、自発磁化材質の場合は別に磁場を追加しなくても磁力を有する。また、導磁性材質の場合は、別に磁場を追加して感知させて（例えば、自発磁化の磁石に近づける）初めて磁力が発生する。このうち、試料粘着パーツ１３と試料粘着パーツ固定構造Ｈ１、Ｈ２の両者は、いずれが自発磁化または導磁性材質かは限定しない。言い換えれば、試料粘着パーツ１３と試料粘着パーツ固定構造Ｈ１、Ｈ２の両者は、いずれも自発磁化材質または一方が自発磁化材質で他の一方が導磁性材質でもよく、試料粘着パーツ１３と試料粘着パーツ固定構造Ｈ１、Ｈ２の両者間で磁力が発生、作用して互いに吸引し合いさえすればよい。
【００７５】
また、反射型顕微鏡モジュール１ｃのその他の技術的特徴は、上述の反射型顕微鏡モジュール１の関連説明を参照できるため、ここでは詳述しない。
【実施例５】
【００７６】
また、図７Ａから図７Ｃを参照しながら説明する。図７Ａは、本発明の実施例５に係る反射型顕微鏡モジュールの筐体と試料粘着パーツが磁性ユニットを有する場合の外観立体図である。図７Ｂは、図７Ａに示した反射型顕微鏡モジュールの断面図である。図７Ｃは、本発明の実施例５の反射型顕微鏡モジュールにおける筐体が少なくとも１個の透孔を有する場合の外観立体図である。
【００７７】
図７Ａの反射型顕微鏡モジュール１ｄと前述の実施例における反射型顕微鏡モジュール１は、大部分同一の部品及び部品間の関係を有する。異なるのは、本実施例の反射型顕微鏡モジュール１ｄの筐体１１ｄの外表面が傾斜角度を有し、且つ、筐体または試料粘着パーツのうちの少なくとも一方が磁性ユニットを有する点である。
【００７８】
本実施例において、反射型顕微鏡モジュール１ｄの筐体１１ｄと前述の実施例における筐体は異なる外表面を有し、筐体１１ｄの外表面は図示するように円錐台状の傾斜角度を有し、一般の円筒状の垂直外表面ではない。さらに、筐体１１ｄと、反射型顕微鏡モジュール１ｄに組み合わせて使用する試料粘着パーツ１３ｄのステージ１３３ｄとに、それぞれ磁性ユニットが設置される。具体的には、図７Ｂに示す如く、筐体１１ｄ中において、試料粘着パーツ１３ｄに近い位置に磁性ユニットＭ１が設置され、試料粘着パーツ１３ｄが粘着されるステージ１３３ｄには筐体１１ｄに近い位置に、対応して磁性ユニットＭ２が設置される。磁性ユニットＭ１と磁性ユニットＭ２は、同様に、自発磁化または導磁性の材質であり、自発磁化の材質は、例えば、合金で、ＴｂＦｅ合金、ＧｄＣｏ合金、ＤｙＮｉ合金、ＮｄＦｅＢ合金を含むもの、または、フェライトまたは金属間化合物類の材質である。導磁性の材質は、例えば、Ｃｏ−Ｎｉ−Ｃｒ合金、Ｃｏ−Ｃｒ−Ｔａ合金、Ｃｏ−Ｃｒ−Ｐｔ合金、Ｃｏ−Ｃｒ−Ｐｔ−Ｂ合金等である。このため、自発磁化材質の場合は別に磁場を追加しなくても磁力を有する。また、導磁性材質の場合は、別に磁場を追加し感知させて（例えば、自発磁化の磁石に近づける）初めて磁力が発生する。このうち、磁性ユニットＭ１と磁性ユニットＭ２の両者は、いずれが自発磁化または導磁性の材質かは限定しない。言い換えれば、磁性ユニットＭ１と磁性ユニットＭ２の両者が、いずれも自発磁化材質、または一方が自発磁化材質で他の一方が導磁性材質でもよく、磁性ユニットＭ１と磁性ユニットＭ２の両者間で磁力が発生、作用して、ステージ１３３ｄに粘着される試料粘着パーツ１３ｄと筐体の底部１１１ｄとが互いに吸引し合いさえすればよい。
【００７９】
重要な点は、磁性ユニットＭ１、Ｍ２の磁力は、大きすぎても小さすぎてもよくないという点で、磁性ユニットＭ１、Ｍ２が互いに吸引し合う磁力が大きすぎると、使用者が試料粘着パーツ１３ｄとステージ１３３ｄを筐体１１ｄの底部１１１ｄから分離しにくい。しかしながら、磁性ユニットＭ１、Ｍ２の磁力が小さすぎると、試料粘着パーツ１３ｄとステージ１３３ｄが確実に筐体１１ｄの底部１１１ｄに設置できず、試料粘着パーツ１３ｄも試料観察面Ｆ１に隣接またはしっかりと貼り付けることができない。また、異なる実施例において、筐体１１ｄが鉄、鋼またはニッケル等の金属材料である時、試料粘着パーツ１３ｄと筐体１１ｄは、直接ステージ１３３ｄ上に設置された磁性ユニットＭ２を介して直接吸引して、試料粘着パーツ１３ｄが筐体１１ｄの底部に吸引されて、筐体１１ｄの周縁に別に磁性ユニットＭ１を追加設置する必要がない。これにより、前述の反射型顕微鏡モジュールと比較して、本実施例の態様における反射型顕微鏡モジュールは、その筐体及び試料粘着パーツのうちの少なくとも一方に磁性ユニットが設置されて、前述の挿入槽や位置規定枠の制限を受けることなく、試料粘着パーツを筐体底部に吸引接続できる。この設計により、試料粘着パーツの移動力と可動性を高めることができる。特に、観察試料Ｓが完全に静止する観察対象ではない時、例えば、生体等の場合、本実施例の反射型顕微鏡モジュールは、さらに便利に観察が行なえる。
【００８０】
次に、図７Ｃを参照しながら説明する。図７Ｃの反射型顕微鏡モジュールと図７Ａの反射型顕微鏡モジュール１は、大部分同一の部品及び部品間の関係を有する。異なるのは、本実施例の反射型顕微鏡モジュール１ｅの筐体１１ｅ中に発光部品が設置されない点である。言い換えれば、反射型顕微鏡モジュール１ｅは、自主発光形式の顕微鏡態様ではない。すなわち、反射型顕微鏡モジュール１ｅは、光源を組み合わせないで使用する時（つまり筐体１１ｅ中に発光部品が設置されない）、本実施例の筐体１１ｅは、少なくとも１個の透孔Ｏを有して、外部光線を筐体１１ｅ内部と試料観察面に入射させる。また、本発明は、透孔Ｏが筐体１１ｅに設置される際の大きさ及び数量を限定せず、透孔Ｏの設置により、外部光線を筐体１１ｅの前述の光の経路の構造を形成するように進入させ、最後に前記実施例と同様に筐体１１ｅ内のレンズに入射させて、更に画像読み取りモジュール２のレンズに到達させることができさえすればよい。したがって、反射型顕微鏡モジュールは、自主発光の態様でなくても、使用者は筐体に開けられた透孔の設計により、外部から光線を導入して、前記と同様にはっきりと反射型顕微鏡モジュールを経て拡大された試料の画像を観察できる。
【００８１】
また、反射型顕微鏡モジュール１ｄ、１ｅのその他の技術的特徴は、上述の反射型顕微鏡モジュール１の関連説明を参照できるため、ここでは詳述しない。
【実施例６】
【００８２】
また、図８Ａ及び図８Ｂを参照しながら説明する。図８Ａは、本発明の実施例６に係る反射型顕微鏡モジュールの筐体外部に導光素子が設置された場合の外観立体図である。図８Ｂは、図８Ａに示した反射型顕微鏡モジュールにより試料の断面を観察する状態を示した断面図である。
【００８３】
図８Ａ及び図８Ｂの反射型顕微鏡モジュール１ｆと前述の実施例における反射型顕微鏡モジュール１は、大部分同一の部品及び部品間の関係を有する。異なるのは、本実施例の反射型顕微鏡モジュール１ｆが発光部品を有さず、筐体外部に導光素子１７が設置される点である。
【００８４】
図８Ａ及び図８Ｂを同時に参照しながら説明する。本実施例の反射型顕微鏡モジュール１ｆは、筐体１１内に発光部品が設置されず、導光素子１７が筐体１１の外部に設置され、且つ、導光素子１７はレンズ１２（本実施例においては凸レンズ）に隣接されて、導光素子１７によって反射型顕微鏡モジュール１ｆの筐体１１外部の光源が、レンズ１２に導入される。具体的には、本実施例の導光素子１７は、入光部１７１及び出光部１７２を有し、出光部１７２は画像読み取りモジュール２及びレンズ１２の間に位置する。入光部１７１は、光線を取り入れるのに用いられる。この場合、光線は環境中から採られるか、または、画像読み取りモジュール２のストロボ２２から得られる。本実施例では、画像読み取りモジュール２のストロボ２２の光線から得られる場合を例とする。故に、入光部１７１の配置位置は画像読み取りモジュール２のストロボ２２に隣接する。好適には、入光部１７１の頂面には開口を設けて、ストロボ２２または環境光を取り入れられることが望ましい。導光素子１７の入光部１７１は、ストロボ２２の光線を取り入れた後、その光線は出光部１７２から出射されてレンズ１２に至る。
【００８５】
詳細に言えば、導光素子１７の全体的な外観は短冊状、環状構造で、例えば、本実施例の入光部１７１は、ストロボ２２からの光線を取り入れるため、入光部１７１の配置位置は、ストロボ２２に対応する必要があり、出光部１７２の配置位置は、画像読み取りモジュール２のレンズ２１に対応する必要がある。画像読み取りモジュール２のレンズ２１とストロボ２２は、通常少し距離をおいて隣り合って設置されるため、導光素子１７の全体的な外観は短冊状の構造を呈する。当然、その他の実施例において、入光部１７１が環境光を取り入れる場合、導光素子１７の全体的な外観は環状構造でも可能で、本発明はこれを制限しない。
【００８６】
好適には、入光部１７１は半球状、またはカーブ状の構造が望ましい。半球状またはカーブ状の構造設計により、大きな範囲の光源が取り入れられる。好適には、導光素子１７は溝１７３を有することが望ましい。図８Ｂに示したように、溝１７３は第１斜面１７４と第２斜面１７５を有する。第１斜面１７４と第２斜面１７５は角度θを形成し、角度は４５度から１２０度の間である。溝１７３の設計により、入光部１７１が取り入れた光線は、効果的に出光部１７２に導引されて、出光部１７２から出射されてレンズ１２に至る。好適には、図８Ａ及び図８Ｂに示したように、導光素子１７は、遮光層１７６を有して、濃い色の塗料が入光部１７１と出光部１７２の間に塗布されることで、環境中の雑光が出光部１７２に進入するのを回避する。
【００８７】
前述の配置関係により、出光部１７２から射出された光線は、レンズ１２の入光面１２２から入射され、レンズの出光面１２３から出射されて試料観察面Ｆ１に至る。それに対応して、本実施例の筐体１１は、前記と同様に出光孔１１２及び開口１１３を有する。出光孔１１２は、試料観察面Ｆ１に近い側に位置し、開口１１３は画像読み取りモジュール２に近い側に位置する。したがって、出光部１７２が射出した光線の全体的な経路は、レンズ１２の入光面１２２から入射して、出光面１２３から出射した後、さらに、出光孔１１２を経て射出されて試料観察面Ｆ１に至る。次に、光線は試料観察面Ｆ１から反射した後、さらにレンズ１２の出光面１２３から入射されて、入光面１２２から出射され、さらに開口１１３及び出光部１７２を経た後、画像読み取りモジュール２のレンズ２１に入射する。画像読み取りモジュール２のレンズ２１は、拡大後の試料画像を取得した後、画像読み取りモジュール２を介して画像処理の過程を実行して、電子機器Ｅの表示ユニットにより試料の画像が表示される。すなわち、反射型顕微鏡モジュール１を経て拡大された後の試料の画像は、使用者が直接電子機器Ｅで観察できる。
【００８８】
また、反射型顕微鏡モジュール１ｆのその他の技術的特徴は上述の反射型顕微鏡モジュール１の関連説明を参照できるため、ここでは詳述しない。
【００８９】
また、本発明では、反射型顕微鏡装置も提供し、反射型顕微鏡装置は、画像読み取りモジュール及び上述のいずれかの実施例において記載される反射型顕微鏡モジュールを含む。
【００９０】
このように、本発明の反射型顕微鏡モジュールは、画像読み取りモジュールと組み合わせて使用し、反射型顕微鏡モジュールは、筐体、レンズ及び試料粘着パーツを備える。筐体は、試料観察面を有し、試料観察面は筐体に位置し、画像読み取りモジュールが取り付けられる面と対向する側面側に位置するように設けられる。レンズは筐体の内部に設置され、試料粘着パーツは着脱式に筐体の底部に設置されて、試料粘着パーツは試料観察面に隣接し、基材及び接着層を備え、接着層と基材は結合して一体となる。本発明は、試料粘着パーツが着脱式で反射型顕微鏡モジュールの筐体の底部に設置されることで、試料観察面に隣接する構造設計がなされる。上述の設計により、試料が簡単、スピーディーに顕微鏡に固定設置されることにより、観察を便利にし、顕微鏡操作の難易度を下げて、顕微鏡使用時のハードルを低くして、使用者が気軽に利用できて、顕微鏡を操作する意欲を高めることが可能になる。
【００９１】
以上、本発明の実施例を図面を参照して詳述してきたが、具体的な構成は、これらの実施例に限られるものではなく、本発明の要旨を逸脱しない範囲の設計変更などがあっても、本発明に含まれる。
【産業上の利用可能性】
【００９２】
本発明は、以上の構成により、コンパクトで携帯に便利な反射型顕微鏡モジュール及び反射型顕微鏡装置を提供して、試料が簡単、スピーディーに顕微鏡に固定設置でき、顕微鏡の使用を便利にする。
【符号の説明】
【００９３】
１、１ａ〜１ｆ        反射型顕微鏡モジュール
１１、１１ｂ、１１ｃ、１１ｄ、１１ｅ      筐体
１１１、１１１ｂ、１１１ｃ、１１１ｄ      底部
１１２        出光孔
１１３        開口
１２          レンズ
１２１        翼部
１２２        入光面
１２３        出光面
１３、１３ａ、１３ｂ、１３ｃ、１３ｄ      試料粘着パーツ
１３０、１３０ｃ      基材
１３１、１３１ａ、１３１ｂ      延伸部
１３２、１３２ａ、１３２ｂ      凹部
１３３、１３３Ｄ      ステージ（載物台）
１４          取付用具
１４１        取付用ツマミ
１４２        枢軸
１５          発光部品
１５１        光源
１６          着脱式カバー
１６１        固定爪セット
１７          導光素子
１７１        入光部
１７２        出光部
１７３        溝
１７４        第１斜面
１７５        第２斜面
１７６        遮光層
２            画像読み取りモジュール
２１          レンズ
２２          ストロボ
Ａ            第１表面
Ｂ            第２表面
Ｃ            接着層
Ｄ            最短距離
ｄ            遮光点
Ｅ            電子機器
Ｆ１          試料観察面
Ｆ２          試料積載面
Ｆ３          阻止枠
Ｈ１、Ｈ２            試料粘着パーツ固定構造
Ｉ            試料粘着パーツ挿入槽
Ｌ１、Ｌ２    位置規定枠
Ｍ１、Ｍ２    磁性ユニット
Ｏ            透孔
Ｓ            観察試料
Ｔ            透明領域又は開孔領域
Ｖ            収納空間
【図１Ａ】
0006745734.tif 000002
【図１Ｂ】
0006745734.tif 000003
【図１Ｃ】
0006745734.tif 000004
【図１Ｄ】
0006745734.tif 000005
【図１Ｅ】
0006745734.tif 000006
【図１Ｆ】
0006745734.tif 000007
【図１Ｇ】
0006745734.tif 000008
【図１Ｈ】
0006745734.tif 000009
【図２Ａ】
0006745734.tif 000010
【図２Ｂ】
0006745734.tif 000011
【図２Ｃ】
0006745734.tif 000012
【図２Ｄ】
0006745734.tif 000013
【図３Ａ】
0006745734.tif 000014
【図３Ｂ】
0006745734.tif 000015
【図４Ａ】
0006745734.tif 000016
【図４Ｂ】
0006745734.tif 000017
【図５Ａ】
0006745734.tif 000018
【図５Ｂ】
0006745734.tif 000019
【図６Ａ】
0006745734.tif 000020
【図６Ｂ】
0006745734.tif 000021
【図７Ａ】
0006745734.tif 000022
【図７Ｂ】
0006745734.tif 000023
【図７Ｃ】
0006745734.tif 000024
【図８Ａ】
0006745734.tif 000025
【図８Ｂ】
0006745734.tif 000026